(57)【要約】【課題】包装材から硬貨を容易に取り出す。【解決手段】積層体Ｌは、複数の硬貨Ｃが積層されてなる。包装材Ｗは、第１部分Ｐ１、第２部分Ｐ２及び第３部分Ｐ３を有している。第１部分Ｐ１は、積層体Ｌの第１端面ＥＳ１の一部を包装している。第２部分Ｐ２は、積層体Ｌの側面ＳＳを覆っている。第３部分Ｐ３は、積層体Ｌの第２端面ＥＳ２の一部を包装している。切断機１００は、第１ブレード１１２を用いて包装材Ｗの第１部分Ｐ１に切り込みを形成可能である。切断機１００は、第２ブレード１１４を用いて包装材Ｗの第２部分Ｐ２に切り込みを形成可能である。切断機１００は、第３部分Ｐ３に切り込みを形成してもよいし、又は形成しなくてもよい。【選択図】図２
2018037004.tif 000002
【特許請求の範囲】
【請求項１】
硬貨ロールを処理する処理機であって、以下を備える：
切断機、
ここで、前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能である。
【請求項２】
請求項１に記載の処理機であって、
前記包装材は、積層体の側面を覆う第２部分を有し、
前記切断機は、前記包装材の前記第２部分に切り込みを形成可能である。
【請求項３】
請求項２に記載の処理機であって、
前記切断機は、第１ブレードと、第２ブレードと、を有し、
前記切断機は、前記第１ブレードにより前記包装材の前記第１部分に切り込みを形成し、
前記切断機は、前記第２ブレードにより前記包装材の前記第２部分に切り込みを形成する。
【請求項４】
請求項２に記載の処理機であって、
前記切断機は、第１ブレードを有し、
前記切断機は、前記第１ブレードにより前記包装材の前記第１部分に切り込みを形成し、
前記切断機は、前記第１ブレードにより前記包装材の前記第２部分に切り込みを形成する。
【請求項５】
請求項２に記載の処理機であって、
前記切断機は、前記硬貨ロールが前記硬貨ロールの中心軸を回転軸として回転している状態で、前記第２ブレードにより前記包装材の前記第２部分に切り込みを形成する。
【請求項６】
請求項１〜５のいずれか一項に記載の処理機であって、
押圧部を備え、
前記積層体は、前記第１端面の反対側の第２端面を有し、
前記押圧部は、前記切り込みが形成された後、前記第２端面を押圧する。
【請求項７】
請求項１〜６のいずれか一項に記載の処理機であって、
保持部を備え、
前記保持部は、前記切り込みが形成された前記包装材を保持する。
【請求項８】
請求項１〜７のいずれか一項に記載の処理機であって、以下を備える：
前記包装材の前記第１部分の厚さを検知する検知器。
【請求項９】
硬貨ロールを処理する処理機であって、以下を備える：
切断機；及び
バイアス機、
ここで、前記硬貨ロールは、
複数の硬貨が積層されてなる積層体であって側面を有する積層体と、
前記側面を覆う部分を有する包装材と、
を有し、
前記切断機は、前記包装材の前記部分に切り込みを形成可能であり、
前記バイアス機は、前記切り込みを外側に向けて前記硬貨ロールを折り曲げ可能である。
【請求項１０】
以下を備える精算装置：
硬貨ロールを処理する処理機；
投入口を有する精算機、
ここで、前記処理機は、切断機を備え、
前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能であり、
前記処理機から前記精算機の前記投入口に前記複数の硬貨を投入可能である。
【請求項１１】
請求項１０に記載の精算装置であって、
前記処理機は、前記精算機に対して着脱可能である。
【請求項１２】
精算機であって以下を備える：
硬貨の投入口、
ここで、該精算機には硬貨ロールを処理する処理機であって切断機を有する処理機を着脱可能であり、
前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能であり、
前記処理機から該精算機の前記投入口に前記複数の硬貨を投入可能である。
【請求項１３】
硬貨ロールを処理する処理方法であって、ここで、前記硬貨ロールは、複数の硬貨が積層されてなる積層体であって第１端面を有する積層体と、前記第１端面の一部を包装する第１部分を有する包装材と、を有しており、前記処理方法は、以下を含む：
切断機により前記包装材の前記第１部分に切り込みを形成すること。
【請求項１４】
請求項１３に記載の処理方法であって、
前記包装材は、前記積層体の側面を覆う第２部分を有し、
前記処理方法は、前記切断機により前記包装材の前記第２部分に切り込みを形成すること、を含む。
【請求項１５】
請求項１４に記載の処理方法であって、
前記切断機は、第１ブレードと、第２ブレードと、を有し、
前記処理方法は、以下を含む：
前記第１ブレードにより前記包装材の前記第１部分に切り込みを形成すること；及び
前記第２ブレードにより前記包装材の前記第２部分に切り込みを形成すること。
【請求項１６】
請求項１４に記載の処理方法であって、
前記切断機は、第１ブレードを有し、
前記処理方法は、前記第１ブレードにより前記包装材の前記第１部分及び前記第２部分に切り込みを形成すること、を含む。
【発明の詳細な説明】
【技術分野】
【０００１】
本発明は、処理機、精算装置、精算機及び硬貨ロールを処理する処理方法に関する。
【背景技術】
【０００２】
小売の精算処理に用いられる精算機では、例えば特許文献１〜４に記載されているように、硬貨ロールが用いられることがある。硬貨ロールは、積層体及び包装材を有している。積層体は、複数の硬貨を含んでいる。包装材は、積層体を覆っている。このようにして、硬貨ロールでは、複数の硬貨が包装材によって１つにまとめられている。
【０００３】
硬貨ロール中の硬貨を用いるには、包装材から硬貨を取り出す必要がある。特許文献１には、包装材から硬貨を取り出すための処理機の一例において記載されている。特許文献１では、複数の硬貨を含む積層体の側面上の包装材に切り込みを形成している。特許文献１では、この切り込みを利用して包装材から硬貨を取り出している。
【先行技術文献】
【特許文献】
【０００４】
【特許文献１】特開平０７−２６２４３０号公報
【特許文献２】特開２００９−２７６８１７号公報
【特許文献３】特開２０１４−１３４９３７号公報
【特許文献４】特開２０１４−１８２４５８号公報
【発明の概要】
【発明が解決しようとする課題】
【０００５】
硬貨ロールの包装材は、複数の硬貨を含む積層体の端面の一部を包装していることがある。この場合、積層体の側面上の包装材に切り込みを形成しても、包装材から硬貨を容易に取り出せないことがある。
【０００６】
本発明の目的の一例は、包装材から硬貨を容易に取り出すことにある。
【課題を解決するための手段】
【０００７】
本発明の一例によれば、以下の処理機が提供される。
硬貨ロールを処理する処理機であって、以下を備える：
切断機、
ここで、前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能である。
【０００８】
本発明の一例によれば、以下の処理機が提供される。
硬貨ロールを処理する処理機であって、以下を備える：
切断機；及び
バイアス機、
ここで、前記硬貨ロールは、
複数の硬貨が積層されてなる積層体であって側面を有する積層体と、
前記側面を包装する部分を有する包装材と、
を有し、
前記切断機は、前記包装材の前記部分に切り込みを形成可能であり、
前記バイアス機は、前記切り込みを外側に向けて前記硬貨ロールを折り曲げ可能である。
【０００９】
本発明の一例によれば、以下の精算装置が提供される。
以下を備える精算装置：
硬貨ロールを処理する処理機；
投入口を有する精算機、
ここで、前記処理機は、切断機を備え、
前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能であり、
前記処理機から前記精算機の前記投入口に前記複数の硬貨を投入可能である。
【００１０】
本発明の一例によれば、以下の精算機が提供される。
精算機であって以下を備える：
硬貨の投入口、
ここで、該精算機には硬貨ロールを処理する処理機であって切断機を有する処理機を着脱可能であり、
前記硬貨ロールは、
複数の硬貨が積層されてなる積層体であって第１端面を有する積層体と、
前記第１端面の一部を包装する第１部分を有する包装材と、
を有し、
前記切断機は、前記包装材の前記第１部分に切り込みを形成可能であり、
前記処理機から該精算機の前記投入口に前記複数の硬貨を投入可能である。
【００１１】
本発明の一例によれば、以下の処理方法が提供される。
硬貨ロールを処理する処理方法であって、ここで、前記硬貨ロールは、複数の硬貨が積層されてなる積層体であって第１端面を有する積層体と、前記第１端面の一部を包装する第１部分を有する包装材と、を有しており、前記処理方法は、以下を含む：
切断機により前記包装材の前記第１部分に切り込みを形成すること。
【発明の効果】
【００１２】
本発明の上記一例によれば、包装材から硬貨を容易に取り出すことができる。
【図面の簡単な説明】
【００１３】
【図１】（ａ）は、第１の実施形態に係る処理機によって処理される硬貨ロールの側面図であり、（ｂ）は、（ａ）に示した硬貨ロールを積層体の第１端面側から見た図であり、（ｃ）は、（ａ）に示した硬貨ロールを積層体の第２端面側から見た図であり、（ｄ）は、（ａ）のＡ−Ａ´断面図である。
【図２】第１の実施形態に係る処理機を説明するための図である。
【図３】処理機を用いて包装材の第１部分に切り込みを形成する方法の詳細の一例を説明するための図である。
【図４】処理機を用いて包装材の第２部分に切り込みを形成する方法の詳細の第１例を説明するための図である。
【図５】処理機を用いて包装材の第２部分に切り込みを形成する方法の詳細の第２例を説明するための図である。
【図６】（ａ）は、図２の変形例を説明するための図であり、（ｂ）は、図２の変形例を説明するための図である。
【図７】（ａ）は、包装材から硬貨を取り出す方法の第１例を説明するための図であり、（ｂ）は、包装材Ｗから硬貨を取り出す方法の第１例を説明するための図である。
【図８】（ａ）は、図７（ａ）及び図７（ｂ）に示した方法の変形例を説明するための図であり、（ｂ）は、図７（ａ）及び図７（ｂ）に示した方法の変形例を説明するための図である。
【図９】（ａ）は、包装材から硬貨を取り出す方法の第２例を説明するための図であり、（ｂ）は、包装材から硬貨を取り出す方法の第２例を説明するための図である。
【図１０】（ａ）は、包装材から硬貨を取り出す方法の第２例を説明するための図であり、（ｂ）は、包装材から硬貨を取り出す方法の第２例を説明するための図である。
【図１１】（ａ）は、図９（ａ）、図９（ｂ）、図１０（ａ）及び図１０（ｂ）に示した方法の変形例を説明するための図であり、（ｂ）は、図９（ａ）、図９（ｂ）、図１０（ａ）及び図１０（ｂ）に示した方法の変形例を説明するための図である。
【図１２】（ａ）は、図９（ａ）、図９（ｂ）、図１０（ａ）及び図１０（ｂ）に示した方法の変形例を説明するための図であり、（ｂ）は、図９（ａ）、図９（ｂ）、図１０（ａ）及び図１０（ｂ）に示した方法の変形例を説明するための図である。
【図１３】第２の実施形態に係る精算機を示す斜視図である。
【図１４】第２の実施形態に係る精算装置の第１例を説明するための図である。
【図１５】第２の実施形態に係る精算装置の第２例を説明するための図である。
【図１６】（ａ）は、変形例に係る処理機を説明するための図であり、（ｂ）は、変形例に係る処理機を説明するための図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１（ａ）は、第１の実施形態に係る処理機１０（図２）によって処理される硬貨ロールＣＲの側面図である。図１（ｂ）は、図１（ａ）に示した硬貨ロールＣＲを積層体Ｌの第１端面ＥＳ１側から見た図である。図１（ｃ）は、図１（ａ）に示した硬貨ロールＣＲを積層体Ｌの第２端面ＥＳ２側から見た図である。図１（ｄ）は、図１（ａ）のＡ−Ａ´断面図である。
【００１６】
硬貨ロールＣＲは、積層体Ｌ及び包装材Ｗを有している。積層体Ｌは、複数の硬貨Ｃが積層されてなる。積層体Ｌは、第１端面ＥＳ１、第２端面ＥＳ２及び側面ＳＳを有している。第２端面ＥＳ２は、第１端面ＥＳ１の反対側にある。側面ＳＳは、第１端面ＥＳ１と第２端面ＥＳ２の間にある。包装材Ｗは、第１部分Ｐ１、第２部分Ｐ２及び第３部分Ｐ３を有している。第１部分Ｐ１は、積層体Ｌの第１端面ＥＳ１の一部を包装しており、具体的には、第１端面ＥＳ１側から見た場合に第１端面ＥＳ１の中心を囲んでいる。言い換えると、第１端面ＥＳ１の中心及びその周辺は、包装材Ｗから露出している。第２部分Ｐ２は、積層体Ｌの側面ＳＳを覆っている。第３部分Ｐ３は、積層体Ｌの第２端面ＥＳ２の一部を包装しており、具体的には、第２端面ＥＳ２側から見た場合に第２端面ＥＳ２の中心を囲んでいる。言い換えると、第２端面ＥＳ２の中心及びその周辺は、包装材Ｗから露出している。
【００１７】
図２は、本実施形態に係る処理機１０を説明するための図である。処理機１０は、切断機１００を備えている。切断機１００は、２つのブレード１１０（第１ブレード１１２及び第２ブレード１１４）及び駆動器１２０を有している。ブレード１１０（第１ブレード１１２及び第２ブレード１１４）は、例えば、セラミックからなる。駆動器１２０は、第１ブレード１１２及び第２ブレード１１４を駆動している。
【００１８】
切断機１００は、第１ブレード１１２を用いて包装材Ｗの第１部分Ｐ１に切り込みを形成可能である。一例において、第１部分Ｐ１に形成される切り込みは、第１端面ＥＳ１の中心から外側に向かう方向に沿って延伸している。この例において、第１部分Ｐ１に形成される切り込みの数は、１のみであってもよいし、又は２以上であってもよい。
【００１９】
図２に示す例においては、包装材Ｗの第１部分Ｐ１に切り込みを確実に形成することができる。このため、図７〜図１２を用いて後述するように、包装材Ｗから硬貨Ｃを容易に取り出すことが可能となる。
【００２０】
切断機１００は、第２ブレード１１４を用いて包装材Ｗの第２部分Ｐ２に切り込みを形成可能である。一例において、切断機１００は、積層体Ｌの長手方向に沿って第２部分Ｐ２に切り込みを形成する。さらに、一例において、切断機１００は、第２部分Ｐ２の切り込みが第１部分Ｐ１の切り込みと繋がるように第２部分Ｐ２に切り込みを形成する。これにより、第２部分Ｐ２から第１部分Ｐ１にかけて切り込みが延伸するようになる。
【００２１】
切断機１００は、第１部分Ｐ１に切り込みを形成した後に第２部分Ｐ２に切り込みを形成してもよいし、又は第２部分Ｐ２に切り込みを形成した後に第１部分Ｐ１に切り込みを形成してもよい。他の例において、第１部分Ｐ１に切り込みを形成するのと同時に第２部分Ｐ２に切り込みを形成してもよい。
【００２２】
なお、切断機１００は、第３部分Ｐ３に切り込みを形成してもよいし、又は形成しなくてもよい。第３部分Ｐ３に切り込みが形成される場合、一例において、切断機１００は、第３部分Ｐ３の切り込みが第２部分Ｐ２の切り込みと繋がるように第３部分Ｐ３に切り込みを形成する。これにより、第２部分Ｐ２から第３部分Ｐ３にかけて切り込みが延伸するようになる。
【００２３】
さらに、切断機１００が包装材Ｗに切り込みを形成する方法は、図２に示す例（すなわち、ブレード１１０を用いた物理的方法）に限定されるものではない。一例において、切断機１００は、光学的方法（例えば、レーザカッタ）によって包装材Ｗに切り込みを形成してもよい。
【００２４】
図３は、処理機１０を用いて包装材Ｗの第１部分Ｐ１に切り込みを形成する方法の詳細の一例を説明するための図である。図３に示す例において、処理機１０は、切断機１００及び検知器１３０を備えている。
【００２５】
切断機１００は、第１ブレード１１２及び駆動器１２０を有している。第１ブレード１１２は、回転ブレードである。第１ブレード１１２は、硬貨ロールＣＲの第１端面ＥＳ１に沿って延伸する軸、より具体的には硬貨ロールＣＲの第１端面ＥＳ１と平行に延伸する軸に関して回転可能となっている。駆動器１２０は、第１ブレード１１２を移動させている。駆動器１２０は、硬貨ロールＣＲの第１端面ＥＳ１に交わる方向に沿って、より具体的には、硬貨ロールＣＲの第１端面ＥＳ１に直交する方向に沿って第１ブレード１１２を移動させている。
【００２６】
検知器１３０は、包装材Ｗの第１部分Ｐ１の厚さを検知している。一例において、検知器１３０は、変位計である。この場合、検知器１３０は、第１端面ＥＳ１及び第１部分Ｐ１からの反射光（例えば、赤外線）を受けることにより、第１端面ＥＳ１から第１部分Ｐ１までの領域の凹凸、すなわち第１部分Ｐ１の厚さを検知することができる。
【００２７】
駆動器１２０は、検知器１３０の検知結果に基づいて、第１ブレード１１２を移動させている。これにより、駆動器１２０は、第１ブレード１１２が第１部分Ｐ１に十分な深さの切り込みを形成することができるようにしつつ、第１ブレード１１２が第１端面ＥＳ１に接触しない（すなわち、第１ブレード１１２が第１端面ＥＳ１に損傷を与えない）ように、第１ブレード１１２を移動させることができる。
【００２８】
図４は、処理機１０を用いて包装材Ｗの第２部分Ｐ２に切り込みを形成する方法の詳細の第１例を説明するための図である。図４に示す例において、第２部分Ｐ２に形成される切り込みは、硬貨ロールＣＲの長手方向に沿って直線状に延伸している。具体的には、駆動器１２０は、硬貨ロールＣＲの長手方向に沿って第１部分Ｐ１側から第３部分Ｐ３側に向けて第２ブレード１１４を移動させている。これにより、第２部分Ｐ２に形成される切り込みは、硬貨ロールＣＲの長手方向に沿って直線状に延伸するようになる。
【００２９】
図５は、処理機１０を用いて包装材Ｗの第２部分Ｐ２に切り込みを形成する方法の詳細の第２例を説明するための図である。図５に示す例において、第２部分Ｐ２に形成される切り込みは、硬貨ロールＣＲの長手方向に沿ってスパイラル状に延伸している。具体的には、硬貨ロールＣＲが硬貨ロールＣＲの中心軸に関して回転している状態で、駆動器１２０は、硬貨ロールＣＲの長手方向に沿って第１部分Ｐ１側から第３部分Ｐ３側に向けて第２ブレード１１４を移動させている。これにより、第２部分Ｐ２に形成される切り込みは、硬貨ロールＣＲの長手方向に沿ってスパイラル状に延伸するようになる。
【００３０】
図６（ａ）及び図６（ｂ）は、図２の変形例を説明するための図である。図６（ａ）は、本変形例の第１タイミングにおける処理機１０を説明するための図である。図６（ｂ）は、本変形例における第２タイミングにおける処理機１０を説明するための図である。本変形例において、処理機１０（切断機１００）は、第１ブレード１１２を有しており、第２ブレード１１４（図２）を有していない。駆動器１２０は、第１ブレード１１２を第１部分Ｐ１側の領域と第２部分Ｐ２側の領域の間で移動させることができる。このため、本変形例においては、第１タイミング（図６（ａ））において、処理機１０（切断機１００）は、第１ブレード１１２を用いて包装材Ｗの第１部分Ｐ１に切り込みを形成可能であり、第２タイミング（図６（ｂ））において、処理機１０（切断機１００）は、第１ブレード１１２を用いて包装材Ｗの第２部分Ｐ２に切り込みを形成可能である。
【００３１】
図７（ａ）及び図７（ｂ）は、包装材Ｗから硬貨Ｃを取り出す方法の第１例を説明するための図である。図７に示す例において、処理機１０は、保持部材１４０を備えている。硬貨Ｃは、以下のようにして、包装材Ｗの第１部分Ｐ１側から包装材Ｗの外側へ取り出される。
【００３２】
まず、図７（ａ）に示すように、保持部材１４０は、第１部分Ｐ１が第３部分Ｐ３よりも低い位置に位置するように、より具体的には第１部分Ｐ１が第３部分Ｐ３の真下に位置するように硬貨ロールＣＲを保持する。保持部材１４０は、包装材Ｗの第２部分Ｐ２側から硬貨ロールＣＲを保持している。保持部材１４０は、積層体Ｌの側面ＳＳに交わる方向に沿って移動可能となっている。このため、保持部材１４０は、硬貨ロールＣＲの直径がどのような大きさであっても（言い換えると、硬貨ロールＣＲに含まれる硬貨Ｃの種類がどのような種類であっても）、硬貨ロールＣＲを保持することができる。
【００３３】
次いで、包装材Ｗに切り込みＣＴを形成する。図７（ａ）に示す例において、切り込みＣＴは、第１部分Ｐ１から第２部分Ｐ２にかけて延伸している。
【００３４】
次いで、図７（ｂ）に示すように、包装材Ｗを裂く。図７（ｂ）に示す例では、保持部材１４０によって積層体Ｌ（図７（ａ））の外側に向けて包装材Ｗを引っ張ることにより、包装材Ｗが裂かれる。これにより、硬貨Ｃは、包装材Ｗの第１部分Ｐ１側から包装材Ｗの外側へ取り出される。より具体的には、図７（ｂ）に示す例において、包装材Ｗの第２部分Ｐ２は、真空吸着によって保持部材１４０に吸着している。このため、保持部材１４０が積層体Ｌ（図７（ａ））の外側に向けて移動すると、包装材Ｗは、保持部材１４０と一緒になって移動する。これにより、包装材Ｗが裂かれる。
【００３５】
図７に示す例においては、すべての硬貨Ｃが下方に落下した後、包装材Ｗは保持部材１４０に保持されたままになる。このため、包装材Ｗが下方に落下することを防止することができる。さらに、包装材Ｗを簡易に回収することができる。
【００３６】
図８（ａ）及び図８（ｂ）は、図７（ａ）及び図７（ｂ）に示した方法の変形例を説明するための図である。図８（ａ）及び図８（ｂ）に示す方法は、以下の点を除いて、図７（ａ）及び図７（ｂ）に示した方法と同様である。
【００３７】
まず、図８（ａ）に示すように、図７（ａ）に示した方法と同様にして、保持部材１４０は、硬貨ロールＣＲを保持する。
【００３８】
次いで、包装材Ｗに切り込みＣＴを形成する。図８（ａ）に示す例において、切り込みＣＴは、第１部分Ｐ１及び第２部分Ｐ２のうち第１部分Ｐ１のみに形成されており、第２部分Ｐ２には形成されていない。
【００３９】
次いで、図８（ｂ）に示すように、包装材Ｗを裂く。図８（ｂ）に示す例では、保持部材１４０によって積層体Ｌ（図８（ａ））の外側に向けて包装材Ｗを引っ張ることにより、第１部分Ｐ１の切り込みＣＴ（図８（ａ））が第２部分Ｐ２に広がる。これにより、包装材Ｗが裂かれる。これにより、硬貨Ｃは、包装材Ｗの第１部分Ｐ１側から包装材Ｗの外側へ取り出される。
【００４０】
図９（ａ）、図９（ｂ）、図１０（ａ）及び図１０（ｂ）は、包装材Ｗから硬貨Ｃを取り出す方法の第２例を説明するための図である。図９及び図１０に示す例において、処理機１０は、保持部材１４０及び押圧機１５０を備えている。保持部材１４０は、固定板１４２及び可動板１４４を有している。硬貨Ｃは、以下のようにして、包装材Ｗの第１部分Ｐ１側から包装材Ｗの外側へ取り出される。
【００４１】
まず、図９（ａ）に示すように、保持部材１４０は、第１部分Ｐ１が第３部分Ｐ３よりも低い位置に位置するように、より具体的には第１部分Ｐ１が第３部分Ｐ３の斜め下に位置するように硬貨ロールＣＲを保持する。より具体的には、硬貨ロールＣＲは、固定板１４２上に載置されている。可動板１４４は、固定板１４２に対して移動可能である。このため、可動板１４４は、固定板１４２の上方から硬貨ロールＣＲを押さえることができる。さらに、保持部材１４０は、硬貨ロールＣＲの直径がどのような大きさであっても（言い換えると、硬貨ロールＣＲに含まれる硬貨Ｃの種類がどのような種類であっても）、硬貨ロールＣＲを保持することができる。
【００４２】
次いで、図９（ｂ）に示すように、包装材Ｗに切り込みＣＴを形成する。図９（ｂ）に示す例において、切り込みＣＴは、第１部分Ｐ１から第２部分Ｐ２にかけて延伸している。
【００４３】
次いで、図１０（ａ）に示すように、押圧機１５０が包装材Ｗの第３部分Ｐ３側から積層体Ｌ（図９（ｂ））を押す。図１０（ａ）に示す例では、包装材Ｗの一部、特に第１部分Ｐ１が切り込みＣＴを有しているため、僅かな力で第１部分Ｐ１側から硬貨Ｃを取り出すことができる。このようにして、硬貨Ｃは、包装材Ｗの第１部分Ｐ１側から包装材Ｗの外側へ取り出される。
【００４４】
次いで、図１０（ｂ）に示すように、可動板１４４により包装材Ｗを持ち上げる。図１０（ｂ）に示す例において、包装材Ｗの第２部分Ｐ２は、真空吸着によって保持部材１４０に吸着している。これにより、可動板１４４が上方に移動すると、包装材Ｗは、可動板１４４と一緒になって移動する。
【００４５】
包装材Ｗを可動板１４４によって持ち上げた後、包装材Ｗは可動板１４４に保持されたままになる。このため、包装材Ｗが下方に落下することを防止することができる。さらに、包装材Ｗを簡易に回収することができる。
【００４６】
図１１（ａ）、図１１（ｂ）、図１２（ａ）及び図１２（ｂ）は、図９（ａ）、図９（ｂ）、図１０（ａ）及び図１０（ｂ）に示した方法の変形例を説明するための図である。図１１（ａ）〜図１２（ｂ）に示す方法は、以下の点を除いて、図９（ａ）〜図１０（ｂ）に示した方法と同様である。
【００４７】
まず、図１１（ａ）に示すように、図９（ａ）に示した方法と同様にして、保持部材１４０は、硬貨ロールＣＲを保持する。
【００４８】
次いで、図１１（ｂ）に示すように、包装材Ｗに切り込みＣＴを形成する。図１１（ｂ）に示す例において、切り込みＣＴは、第１部分Ｐ１及び第２部分Ｐ２のうち第１部分Ｐ１のみに形成されており、第２部分Ｐ２には形成されていない。
【００４９】
次いで、図１２（ａ）に示すように、押圧機１５０が包装材Ｗの第３部分Ｐ３側から積層体Ｌ（図１１（ｂ））を押す。図１２（ａ）に示す例では、包装材Ｗの第１部分Ｐ１が切り込みＣＴを有しているため、僅かな力で第１部分Ｐ１側から硬貨Ｃを取り出すことができる。このようにして、硬貨Ｃは、包装材Ｗの第１部分Ｐ１側から包装材Ｗの外側へ取り出される。
【００５０】
次いで、図１２（ｂ）に示すように、可動板１４４により包装材Ｗを持ち上げる。
【００５１】
以上、本実施形態によれば、包装材Ｗは、第１部分Ｐ１を有している。第１部分Ｐ１は、積層体Ｌ（複数の硬貨Ｃ）の第１端面ＥＳ１の一部を包装している。切断機１００は、第１ブレード１１２を用いて包装材Ｗの第１部分Ｐ１に切り込みを形成可能である。このため、包装材Ｗの第１部分Ｐ１側から包装材Ｗの外側へ硬貨Ｃを容易に取り出すことができる。
【００５２】
（第２の実施形態）
図１３は、第２の実施形態に係る精算機２０を示す斜視図である。精算機２０は、収受部２００及び収容部２１０を有している。収受部２００は、投入口２０２、投入口２０４及び払出口２０６を有している。収容部２１０は、第１収容部２１２及び第２収容部２１４を有している。
【００５３】
投入口２０２には、硬貨を投入可能である。投入口２０２に投入された硬貨は、第１収容部２１２の内部に収容される。第１収容部２１２の内部に収容された硬貨は、払出口２０６から払い出すことが可能である。
【００５４】
投入口２０４には、紙幣を投入可能である。投入口２０４に投入された紙幣は、第２収容部２１４の内部に収容される。第２収容部２１４の内部に収容された紙幣は、投入口２０４から払い出すことが可能である。
【００５５】
図１４は、本実施形態に係る精算装置３０の第１例を説明するための図である。精算装置３０は、処理機１０及び精算機２０を備えている。本実施形態に係る処理機１０は、第１の実施形態に係る処理機１０と同様である。精算機２０は、払出路２０８を有している。払出路２０８は、払出口２０６に通じており、第１収容部２１２（図１３）から払出口２０６に硬貨を払い出すために用いられている。処理機１０は、精算機２０に対して着脱可能になっている。処理機１０が精算機２０に取り付けられている場合、処理機１０から精算機２０の投入口２０２に硬貨Ｃを投入可能になる。
【００５６】
処理機１０は、支持部材１６０を備えている。支持部材１６０は、第１部材１６２及び第２部材１６４を有している。第１部材１６２と第２部材１６４は、互いに対向している。処理機１０は、支持部材１６０によって精算機２０に固定されている。具体的には、第１部材１６２と第２部材１６４によって精算機２０を挟むことにより、処理機１０は精算機２０に固定されている。図１４に示す例では、第１部材１６２及び第２部材１６４は、収受部２００の上面と払出路２０８の上面の間で精算機２０を挟んでいる。このようにして、図１４に示す例では、処理機１０を精算機２０に簡易に固定することができる。
【００５７】
なお、一例において、処理機１０（例えば、図２に示した駆動器１２０）を駆動するための電力は、精算機２０を介して供給されてもよい。
【００５８】
図１５は、本実施形態に係る精算装置３０の第２例を説明するための図である。図１５に示すように、第１部材１６２及び第２部材１６４は、収受部２００の上面と収受部２００の下面の間で精算機２０を挟んでいてもよい。図１５に示す例においても、処理機１０を精算機２０に簡易に固定することができる。
【００５９】
（変形例）
図１６（ａ）及び図１６（ｂ）は、変形例に係る処理機１０を説明するための図である。本変形例において、処理機１０は、固定板１７２及び可動板１７４を備えている。可動板１７４は、フック１７４ａ及びフック１７４ｂを有している。本変形例において、硬貨Ｃは、以下のようにして包装材Ｗから取り出される。
【００６０】
まず、図１６（ａ）に示すように、固定板１７２上に硬貨ロールＣＲを載置する。硬貨ロールＣＲは、硬貨ロールＣＲの長手方向が水平方向に沿うように固定板１７２上に載置される。次いで、可動板１７４によって上方から硬貨ロールＣＲを押さえる。この場合、フック１７４ａ及びフック１７４ｂがそれぞれ包装材Ｗの第１部分Ｐ１及び第３部分Ｐ３に引っかかるようにする。次いで、包装材Ｗの第２部分Ｐ２に切り込みＣＴを形成する。図１６（ａ）に示す例において、切り込みＣＴは、硬貨ロールＣＲの長手方向に交わる方向に延伸している。
【００６１】
次いで、図１６（ｂ）に示すように、切り込みＣＴ（図１６（ａ））を外側に向けて硬貨ロールＣＲを折り曲げる。これにより、包装材Ｗが裂ける。このため、包装材Ｗが裂けた場所から硬貨Ｃを取り出すことができる。より具体的には、図１６（ｂ）に示す例では、可動板１７４を上方に移動させている。これにより、第１部分Ｐ１及び第３部分Ｐ３がそれぞれフック１７４ａ及びフック１７４ｂによって上方に持ち上げられる。この場合、硬貨Ｃの自重によって、包装材Ｗには切り込みＣＴ（図１６（ａ））の周辺に力が加わる。この力によって切り込みＣＴ（図１６（ａ））が広がる。このようにして、包装材Ｗが裂ける。言い換えると、フック１７４ａ及びフック１７４ｂは、硬貨ロールＣＲを折り曲げるためのバイアス機として機能している。
【００６２】
なお、硬貨ロールＣＲを折り曲げる方法は、図１６に示す例に限定されるものではない。一例において、押圧部が、切り込みＣＴの反対側から硬貨ロールＣＲを押圧してもよい。この例においても、切り込みＣＴを外側に向けて硬貨ロールＣＲを折り曲げることができる。言い換えると、上記押圧部は、硬貨ロールＣＲを折り曲げるためのバイアス機として機能している。さらに、この例においては、切り込みＣＴを鉛直方向の下側に向けなくてもよく、例えば水平方向に向けてもよい。
【００６３】
以上、図面を参照して本発明の実施形態について述べたが、これらは本発明の例示であり、上記以外の様々な構成を採用することもできる。
【符号の説明】
【００６４】
１０  処理機
２０  精算機
３０  精算装置
１００  切断機
１１０  ブレード
１１２  第１ブレード
１１４  第２ブレード
１２０  駆動器
１３０  検知器
１４０  保持部材
１５０  押圧機
１６０  支持部材
１６２  第１部材
１６４  第２部材
１７２  固定板
１７４  可動板
１７４ａ  フック
１７４ｂ  フック
２００  収受部
２０２  投入口
２０６  払出口
２０８  払出路
２１０  収容部
２１２  第１収容部
２１４  第２収容部
【図１】
2018037004.tif 000003
【図２】
2018037004.tif 000004
【図３】
2018037004.tif 000005
【図４】
2018037004.tif 000006
【図５】
2018037004.tif 000007
【図６】
2018037004.tif 000008
【図７】
2018037004.tif 000009
【図８】
2018037004.tif 000010
【図９】
2018037004.tif 000011
【図１０】
2018037004.tif 000012
【図１１】
2018037004.tif 000013
【図１２】
2018037004.tif 000014
【図１３】
2018037004.tif 000015
【図１４】
2018037004.tif 000016
【図１５】
2018037004.tif 000017
【図１６】
2018037004.tif 000018